(57)【要約】【課題】ＲＦＩＤタグの周囲に金属がある場合でも、リーダ・ライタとＲＦＩＤタグとの間における安定的な通信を低コストで実現すること。【解決手段】直方体型ＲＦＩＤタグ取り付け器具１０ａあるいは半円筒型ＲＦＩＤタグ取り付け器具１０ｂが、ＲＦＩＤタグ１３ａ，１３ｂが取り付けられるスペーサ１１ａ，１１ｂと、スペーサ１１ａ，１１ｂに取り付けられ、ＲＦＩＤタグ１３ａ，１３ｂが通信に用いる電波に対する干渉を抑制する金属板１２ａ，１２ｂとを備え、ＲＦＩＤタグ１３ａ，１３ｂがスペーサ１１ａ，１１ｂに取り付けられた場合にＲＦＩＤタグ１３ａ，１３ｂの周囲に当該ＲＦＩＤタグ１３ａ，１３ｂの一部を残して覆う状態となるように金属板１２ａ，１２ｂを設置する。【選択図】        図１
2006338361.tif 000002
【特許請求の範囲】
【請求項１】
他の装置との間で電波通信をおこなうＲＦＩＤタグが取り付けられるＲＦＩＤタグ取り付け用用具であって、
ＲＦＩＤタグが取り付けられる非導電体と、
前記非導電体に取り付けられ、前記ＲＦＩＤタグが通信に用いる電波に対する干渉を抑制する導電体と、
を備え、
前記導電体を、前記ＲＦＩＤタグが前記非導電体に取り付けられた場合にＲＦＩＤタグの周囲に当該ＲＦＩＤタグの一部を残して覆う状態となるように設置すること
を特徴とするＲＦＩＤタグ取り付け用用具。
【請求項２】
前記導電体とＲＦＩＤタグとの間の距離がＲＦＩＤタグが電波通信に用いる電波波長の略４分の１となるように当該導電体を設置したことを特徴とする請求項１に記載のＲＦＩＤタグ取り付け用用具。
【請求項３】
前記導電体は、導電性塗料であることを特徴とする請求項１または２に記載のＲＦＩＤタグ取り付け用用具。
【請求項４】
請求項１、２または３に記載のＲＦＩＤタグ取り付け用用具が取り付けられ、物品を積載することを特徴とするＲＦＩＤタグ取り付け用荷台。
【請求項５】
請求項１、２または３に記載のＲＦＩＤタグ取り付け用用具が取り付けられ、物品を収納することを特徴とするＲＦＩＤタグ取り付け用箱。
【請求項６】
請求項１〜５のいずれか１つに記載のＲＦＩＤタグ取り付け用用具にＲＦＩＤタグが取り付けられて成る通信機器。
【請求項７】
ＲＦＩＤタグを用いて他の装置との間で電波通信をおこなう通信方法であって、
非導電体にＲＦＩＤタグと、当該ＲＦＩＤタグが通信に用いる電波に対する干渉を抑制する導電体とが取り付けられ、前記導電体が、前記ＲＦＩＤタグの周囲に当該ＲＦＩＤタグの一部を残して覆う状態となるように設置されたＲＦＩＤタグ取り付け用用具を用いて通信をおこなうこと
を特徴とする通信方法。
【発明の詳細な説明】
【技術分野】
【０００１】
本発明は、他の装置との間で電波通信をおこなうＲＦＩＤタグが取り付けられるＲＦＩＤタグ取り付け用用具、ＲＦＩＤタグ取り付け用荷台、ＲＦＩＤタグ取り付け用箱、ＲＦＩＤタグ取り付け用用具にＲＦＩＤタグが取り付けられて成る通信機器、および、ＲＦＩＤタグを用いて他の装置との間で電波通信をおこなう通信方法に関し、特に、ＲＦＩＤタグの周囲に金属がある場合でも、リーダ・ライタとＲＦＩＤタグとの間における安定的な通信を低コストで実現することができるＲＦＩＤタグ取り付け用用具、ＲＦＩＤタグ取り付け用荷台、ＲＦＩＤタグ取り付け用箱、通信機器および通信方法に関する。
【背景技術】
【０００２】
近年、ＲＦＩＤ（Radio Frequency Identification）タグの商品化、および、低価格化が進み、物流の分野などにおいて、ＲＦＩＤタグが次第に利用されるようになってきている。
【０００３】
ＲＦＩＤタグは、ＩＣ（Integrated Circuit）タグとも呼ばれ、種々のデータを記憶するとともに、ＲＦＩＤタグに対するデータの読み込みや書き込みをおこなうリーダ・ライタとの間で電波通信をおこなう。
【０００４】
そして、このＲＦＩＤタグをコンテナの壁面に取り付けて使用する場合に、ＲＦＩＤタグの交信距離を延長し得るコンテナ用ＲＦＩＤタグの交信距離延長方法が考案されている（特許文献１を参照。）。
【０００５】
【特許文献１】特開２００３−１９８４２２号公報
【発明の開示】
【発明が解決しようとする課題】
【０００６】
しかしながら、上述した従来技術は、ＲＦＩＤタグの周りに単に平面的な金属性電波反射部材を配設することにより、ＲＦＩＤタグの交信距離を延長するものであり、多数のＲＦＩＤタグからの電波が存在した場合、外部（特に横からの）の反射、干渉の影響を受けるという問題があった。
【０００７】
具体的には、ＲＦＩＤタグは周囲に金属があると、金属により通信電波が反射され、ＲＦＩＤタグが受信する電波が金属により反射された電波と干渉し合うため、通信電波の強度を一定とすることが難しかった。
【０００８】
また、ＲＦＩＤタグをより一層普及させるためには、ＲＦＩＤタグの低コスト化が必要であるが、上記問題を解決するのに高いコストがかかるようになると、ＲＦＩＤタグの普及を妨げる要因となってしまう。
【０００９】
そのため、ＲＦＩＤタグの実用性をより高めるために、ＲＦＩＤタグの周囲に金属がある場合でも、リーダ・ライタとＲＦＩＤタグとの間における安定的な通信を低コストで実現できる技術の開発が重要な課題となってきている。
【００１０】
本発明は、上記課題を解決するためになされたものであって、ＲＦＩＤタグの周囲に金属がある場合でも、リーダ・ライタとＲＦＩＤタグとの間における安定的な通信を低コストで実現することができるＲＦＩＤタグ取り付け用用具、ＲＦＩＤタグ取り付け用荷台、ＲＦＩＤタグ取り付け用箱、通信機器および通信方法を提供することを目的とする。
【課題を解決するための手段】
【００１１】
上述した課題を解決し、目的を達成するために、本発明は、他の装置との間で電波通信をおこなうＲＦＩＤタグが取り付けられるＲＦＩＤタグ取り付け用用具であって、ＲＦＩＤタグが取り付けられる非導電体と、前記非導電体に取り付けられ、前記ＲＦＩＤタグが通信に用いる電波に対する干渉を抑制する導電体と、を備え、前記導電体を、前記ＲＦＩＤタグが前記非導電体に取り付けられた場合にＲＦＩＤタグの周囲に当該ＲＦＩＤタグの一部を残して覆う状態となるように設置することを特徴とする。
【００１２】
また、本発明は、上記発明において、前記導電体とＲＦＩＤタグとの間の距離がＲＦＩＤタグが電波通信に用いる電波波長の略４分の１となるように当該導電体を設置したことを特徴とする。
【００１３】
また、本発明は、上記発明において、前記導電体は、導電性塗料であることを特徴とする。
【００１４】
また、本発明は、上記発明において、ＲＦＩＤタグ取り付け用荷台は、ＲＦＩＤタグ取り付け用用具が取り付けられ、物品を積載することを特徴とする。
【００１５】
また、本発明は、上記発明において、ＲＦＩＤタグ取り付け用箱は、ＲＦＩＤタグ取り付け用用具が取り付けられ、物品を収納することを特徴とする。
【００１６】
また、本発明は、上記発明において、通信機器がＲＦＩＤタグ取り付け用用具にＲＦＩＤタグを取り付けられて成ることを特徴とする。
【００１７】
また、本発明は、ＲＦＩＤタグを用いて他の装置との間で電波通信をおこなう通信方法であって、非導電体にＲＦＩＤタグと、当該ＲＦＩＤタグが通信に用いる電波に対する干渉を抑制する導電体とが取り付けられ、前記導電体が、前記ＲＦＩＤタグの周囲に当該ＲＦＩＤタグの一部を残して覆う状態となるように設置されたＲＦＩＤタグ取り付け用用具を用いて通信をおこなうことを特徴とする。
【発明の効果】
【００１８】
本発明によれば、他の装置との間で電波通信をおこなうＲＦＩＤタグが取り付けられる非導電体と、非導電体に取り付けられ、ＲＦＩＤタグが通信に用いる電波に対する干渉を抑制する導電体とを備え、導電体を、ＲＦＩＤタグが非導電体に取り付けられた場合にＲＦＩＤタグの周囲に当該ＲＦＩＤタグの一部を残して覆う状態となるように設置することとしたので、ＲＦＩＤタグの周囲に金属がある場合でも、リーダ・ライタとＲＦＩＤタグとの間における安定的な通信を低コストで実現することができるという効果を奏する。
【００１９】
また、本発明によれば、導電体とＲＦＩＤタグとの間の距離がＲＦＩＤタグが電波通信に用いる電波波長の略４分の１となるように当該導電体を設置することとしたので、最大通信距離を伸ばすことができるという効果を奏する。
【００２０】
また、本発明によれば、導電体は、導電性塗料であることとしたので、反射電波を遮蔽する導電体を非導電体に容易に形成することができるという効果を奏する。
【００２１】
また、本発明によれば、物品を積載する荷台に、ＲＦＩＤタグ取り付け用用具を取り付けることとしたので、リーダ・ライタと荷台に取り付けられたＲＦＩＤタグとの間における安定的な通信を低コストで実現することができ、また、リーダ・ライタとＲＦＩＤタグとの間で物品の搬送に係る情報などを授受することにより物品の搬送を容易に管理することができるという効果を奏する。
【００２２】
また、本発明によれば、物品を収納する箱に、ＲＦＩＤタグ取り付け用用具を取り付けることとしたので、リーダ・ライタと箱に取り付けられたＲＦＩＤタグとの間における安定的な通信を低コストで実現することができ、また、リーダ・ライタとＲＦＩＤタグとの間で箱に収納された物品に係る情報などを授受することにより物品を容易に管理することができるという効果を奏する。
【００２３】
また、本発明によれば、ＲＦＩＤタグ取り付け用用具にＲＦＩＤタグを取り付けて通信機器を形成することとしたので、リーダ・ライタとＲＦＩＤタグとの間で安定的な通信を低コストで実現することができる通信機器を得ることができるという効果を奏する。
【発明を実施するための最良の形態】
【００２４】
以下に、本発明に係るＲＦＩＤタグ取り付け用用具、ＲＦＩＤタグ取り付け用荷台、ＲＦＩＤタグ取り付け用箱、通信機器および通信方法の実施例を図面に基づいて詳細に説明する。なお、この実施例により本発明が限定されるものではない。
【実施例１】
【００２５】
まず、本実施例１に係るＲＦＩＤタグの取り付け方法について説明する。図１は、実施例１に係るＲＦＩＤタグの取り付け方法について説明する図である。図１には、直方体型ＲＦＩＤタグ取り付け器具１０ａと半円筒型ＲＦＩＤタグ取り付け器具１０ｂとが示されている。
【００２６】
図１に示すように、本実施例１では、直方体型ＲＦＩＤタグ取り付け器具１０ａあるいは半円筒型ＲＦＩＤタグ取り付け器具１０ｂにＲＦＩＤタグ１３ａ，１３ｂを取り付ける。
【００２７】
ＲＦＩＤタグ１３ａ，１３ｂは、内蔵するメモリに種々のデータを記憶するとともに、ＲＦＩＤタグ１３ａ，１３ｂに対するデータの読み書きをおこなうリーダ・ライタ（図示せず）との間で無線通信をおこなうＩＣタグである。
【００２８】
直方体型ＲＦＩＤタグ取り付け器具１０ａは、スペーサ１１ａと金属板１２ａとからなる。スペーサ１１ａは、金属板１２ａとＲＦＩＤタグ１３ａとの間の距離を一定の距離に保つとともに、金属板１２ａとＲＦＩＤタグ１３ａとの間の電気の伝導を遮断する非導電体である。
【００２９】
ここで、スペーサ１１ａの材質としては、金属や水などの電波を反射、吸収する物質以外であればよく、たとえば、プラスチックやガラス、木、紙などが挙げられる。
【００３０】
金属板１２ａは、ＲＦＩＤタグ１３ａの周囲に金属がある場合に、その金属により反射されてＲＦＩＤタグ１１の裏側方向あるいは横方向から来る電波と、ＲＦＩＤタグ１１がリーダ・ライタのアンテナから受信する電波とが干渉し合うのを防止するために設置されるものである。
【００３１】
すなわち、金属により反射された電波とアンテナから直接受信した電波とが強めあったり弱めあったりして、リーダ・ライタとＲＦＩＤタグ１１との間の通信が不安定になるが、金属板１２ａは、ＲＦＩＤタグ１３ａの裏側方向あるいは横方向からの反射電波を遮蔽することにより通信が不安定になるのを防止する。
【００３２】
図１の例では、金属板１２ａは、スペーサ１１ａのＲＦＩＤタグ１３ａが取り付けられる面を残した他のすべての面に、ＲＦＩＤタグ１３ａを覆うようにして取り付けられる。ただし、スペーサ１１ａの側面をすべて覆うのではなく、向かい合う２つの側面と底面にだけ金属板１２ａを取り付けるなどしてもよい。
【００３３】
また、金属板１２ａの代わりに、アルミシールをスペーサ１１ａに貼り付けることにより導電体を形成することとしてもよいし、導電性塗料をスペーサ１１ａに塗布することにより導電体を形成することとしてもよい。
【００３４】
ここで、導電性塗料とは、ニッケルなどの微粉を樹脂などに混ぜることにより製造された塗料であり、この導電性塗料をスプレーなどで塗布することにより導電性を有する膜を形成することができる。
【００３５】
さらに、ＲＦＩＤタグ１３ａの裏側の金属板１２ａを、通信に用いる電波の波長の略４分の１の距離になるようＲＦＩＤタグ１３ａから離して設置することにより、アンテナとＲＦＩＤタグ１３ａとの間の通信距離を伸ばすこともできる。
【００３６】
図２は、金属板とＲＦＩＤタグとの間の距離が最大通信距離に及ぼす影響について示す図である。図２では、２．４５ＧＨｚ帯の周波数の通信電波を用いるＲＦＩＤタグの例を示している。この場合、通信電波の波長は１２ｃｍとなる。
【００３７】
図２に示すように、金属板とＲＦＩＤタグとの間の距離が、波長の１／２の整数倍、すなわち、ｎ／２倍（ｎ＝０，１，２，・・・）である場合には、金属板が、電波を反射する反射板として作用するため、ＲＦＩＤタグにリーダ・ライタのアンテナから直接到達する電波と、金属板により反射された電波とが打ち消し合い、最大通信距離が小さくなる（たとえば、領域Ａ）。
【００３８】
また、金属板とＲＦＩＤタグとの間の距離が、波長の１／４の奇数倍、すなわち、（２ｎ＋１）／４倍（ｎ＝０，１，２，・・・）である場合には、ＲＦＩＤタグにアンテナから直接到達する電波と、金属板により反射された電波とが強め合い、最大通信距離が大きくなる（たとえば、領域Ｂ）。
【００３９】
また、金属板とＲＦＩＤタグとの間の距離が、波長の１／２の整数倍あるいは波長の１／４の奇数倍以外である場合には、金属板とＲＦＩＤタグとの間の距離の変化に応じて最大通信距離がほぼ直線的に変化する（たとえば、領域Ｃ）。
【００４０】
このような関係を利用して、ＲＦＩＤタグ１３ａの裏側の金属板１２ａをＲＦＩＤタグ１３ａからある特定の距離だけ離して設置することにより、アンテナとＲＦＩＤタグ１３ａとの間の通信の安定化および通信距離の調整を容易におこなうことができる。
【００４１】
具体的には、金属板１２ａの大きさやスペーサ１１ａの材質などの条件を、本発明を実際に適用する場合の条件に合わせ、その条件の下で、図２に示したような関係をあらかじめ調べておくことにより、金属板１２ａとＲＦＩＤタグ１３ａとの間の距離を設定する。
【００４２】
一方、半円筒型ＲＦＩＤタグ取り付け器具１０ｂは、スペーサ１１ｂと金属板１２ｂとからなる。スペーサ１１ｂは、金属板１２ｂとＲＦＩＤタグ１３ｂとの間の距離を一定の距離に保つとともに、金属板１２ｂとＲＦＩＤタグ１３ｂとの間の電気の伝導を遮断する非導電体である。
【００４３】
金属板１２ｂとＲＦＩＤタグ１３ｂとの間の距離は、図２で説明したような関係を利用して、適切に設定する。また、スペーサ１１ｂの材質としては、金属や水などの電波を反射、吸収する物質以外であればよく、たとえば、プラスチックやガラス、木、紙などが挙げられる。
【００４４】
半円筒型ＲＦＩＤタグ取り付け器具１０ｂにおいては、スペーサ１１ｂは、円筒を半分に割ったような半円筒状の形状を有する。そして、その半円筒の断面にＲＦＩＤタグ１３ｂが取り付けられる。
【００４５】
金属板１２ｂは、半円筒型ＲＦＩＤタグ取り付け器具１０ｂの周囲に金属がある場合に、その金属により反射されてＲＦＩＤタグ１３ｂの裏側方向あるいは横方向から来る電波と、ＲＦＩＤタグ１３ｂがリーダ・ライタのアンテナから受信する電波とが、干渉し合うのを防止するために設置されるものである。
【００４６】
図１の例では、金属板１２ｂは、スペーサ１１ｂのＲＦＩＤタグ１３ｂが取り付けられる断面を残した他のすべての面に、ＲＦＩＤタグ１３ｂを覆うようにして取り付けられる。ただし、スペーサ１１ｂの上記断面を残した他の面をすべて覆うのではなく、半円形の側面については、金属板１２ｂを取り付けないこととしてもよい。
【００４７】
上述してきたように、本実施例１では、直方体型ＲＦＩＤタグ取り付け器具１０ａあるいは半円筒型ＲＦＩＤタグ取り付け器具１０ｂが、ＲＦＩＤタグ１３ａ，１３ｂが取り付けられるスペーサ１１ａ，１１ｂと、スペーサ１１ａ，１１ｂに取り付けられ、ＲＦＩＤタグ１３ａ，１３ｂが通信に用いる電波に対する干渉を抑制する金属板１２ａ，１２ｂとを備え、ＲＦＩＤタグ１３ａ，１３ｂがスペーサ１１ａ，１１ｂに取り付けられた場合にＲＦＩＤタグ１３ａ，１３ｂの周囲に当該ＲＦＩＤタグ１３ａ，１３ｂの一部を残して覆う状態となるように金属板１２ａ，１２ｂを設置することとしたので、ＲＦＩＤタグ１３ａ，１３ｂの周囲に金属がある場合でも、リーダ・ライタとＲＦＩＤタグ１３ａ，１３ｂとの間における安定的な通信を低コストで実現することができる。
【００４８】
また、本実施例１では、金属板１２ａ，１２ｂとＲＦＩＤタグ１３ａ，１３ｂとの間の距離がＲＦＩＤタグ１３ａ，１３ｂが電波通信に用いる電波波長の略４分の１となるように金属板１２ａ，１２ｂを設置することとしたので、最大通信距離を伸ばすことができる。
【００４９】
また、本実施例１では、電波の干渉を抑制する導電体として導電性塗料を用いることとしたので、反射電波を遮蔽する導電体をスペーサ１１ａ，１１ｂに容易に形成することができる。
【００５０】
また、本実施例１では、直方体型ＲＦＩＤタグ取り付け器具１０ａあるいは半円筒型ＲＦＩＤタグ取り付け器具１０ｂにＲＦＩＤタグ１３ａ，１３ｂを取り付けて通信機器を形成することとしたので、リーダ・ライタとＲＦＩＤタグ１３ａ，１３ｂとの間における安定的な通信を低コストで実現することができる通信機器を得ることができる。
【００５１】
なお、上記実施例では、直方体の形状を有するスペーサ１１ａ、あるいは、円筒を半分に割ったような半円筒状の形状を有するスペーサ１１ｂを用いることとしたが、これに限定されず、ＲＦＩＤタグの裏側方向あるいは横方向から来る電波を遮蔽するようＲＦＩＤタグの裏側や横などに金属板を貼り付けることができれば、スペーサの形状は任意の形状であってよい。
【００５２】
また、実施例１では、周波数が２．４５ＧＨｚ帯の通信電波を用いるＲＦＩＤタグの例を示したが、それに限定されず、ＵＨＦ帯の通信電波などを用いるその他のＲＦＩＤタグについても本発明を同様に適用することができる。
【実施例２】
【００５３】
ところで、上記実施例１では、ＲＦＩＤタグの裏側方向あるいは横方向から来る電波を遮蔽するＲＦＩＤタグ取り付け器具について説明したが、物品を積載するパレットなどの荷台にＲＦＩＤタグ取り付け器具を設置することとし、ＲＦＩＤタグがＲＦＩＤタグ取り付け器具に取り付けられた場合に電波の干渉を防止して、アンテナとの間で安定した通信を低コストでおこなえるようにすることとしてもよい。
【００５４】
そこで、本実施例２では、パレットなどの荷台にＲＦＩＤタグ取り付け器具を設置することにより、電波の干渉を防止する場合について説明する。
【００５５】
まず、本実施例２に係るＲＦＩＤタグの取り付け方法について説明する。図３は、実施例２に係るＲＦＩＤタグの取り付け方法について説明する図である。図３には、物品が積載され、物品の搬送や保管に利用されるパレット２０に、図１に示したような直方体型ＲＦＩＤタグ取り付け器具２２を取り付ける場合が示されている。
【００５６】
なお、ここでは、パレット２０に直方体型ＲＦＩＤタグ取り付け器具２２を取り付ける場合について説明するが、ＲＦＩＤタグ取り付け器具は、図１に示したような半円筒型ＲＦＩＤタグ取り付け器具であってもよい。
【００５７】
図３に示すように、本実施例２では、パレット２０に直方体型ＲＦＩＤタグ取り付け器具２２を取り付ける。そして、この直方体型ＲＦＩＤタグ取り付け器具２２にリーダ・ライタ（図示せず）との間で無線通信をおこなうＲＦＩＤタグ２１が取り付けられる。
【００５８】
このＲＦＩＤタグ２１には、たとえば、複数のパレットの中から当該パレット２０を識別する識別情報や、パレット２０に積載される物品の情報などが記憶される。
【００５９】
直方体型ＲＦＩＤタグ取り付け器具２２の設置方法は、図３に示すように、パレット２０内部に埋め込んで設置してもよいし、パレット２０の表面に取り付けることとしてもよい。
【００６０】
また、直方体型ＲＦＩＤタグ取り付け器具２２をフォークリフトがフォークを差し込むフォーク差込口２３の面に埋め込んで設置することとしてもよい。この場合、衝撃を受けないように凹凸のないように設置することが好ましい。
【００６１】
そして、直方体型ＲＦＩＤタグ取り付け器具２２は、ＲＦＩＤタグ２１の周囲に金属がある場合に、その金属により反射されてＲＦＩＤタグ２１の裏側から来る電波と、ＲＦＩＤタグ２１がリーダ・ライタのアンテナから受信する電波とが干渉し合うのを防止する。
【００６２】
また、直方体型ＲＦＩＤタグ取り付け器具２２に取り付けられた金属板とＲＦＩＤタグ２１との間の距離は、図２で説明したような関係を利用して、適切に設定する。これにより、アンテナとＲＦＩＤタグ２１との間の通信の安定化および通信距離の調整をおこなうことができる。
【００６３】
上述してきたように、本実施例２では、物品を積載するパレット２０に直方体型ＲＦＩＤタグ取り付け器具２２を取り付けることとしたので、リーダ・ライタと直方体型ＲＦＩＤタグ取り付け器具２２に取り付けられたＲＦＩＤタグ２１との間における安定的な通信を低コストで実現することができ、また、リーダ・ライタとＲＦＩＤタグ２１との間で物品の搬送に係る情報などを授受することにより物品の搬送を容易に管理することができる。
【実施例３】
【００６４】
ところで、上記実施例２では、物品を積載するパレットにＲＦＩＤタグ取り付け器具を設置することとしているが、物品を収納する箱などにＲＦＩＤタグ取り付け器具を設置し、ＲＦＩＤタグがＲＦＩＤタグ取り付け器具に取り付けられた場合に電波の干渉を防止して、アンテナとの間で安定した通信を低コストでおこなえるようにすることとしてもよい。
【００６５】
そこで、本実施例３では、物品を収納する箱などにＲＦＩＤタグ取り付け器具を設置することにより、電波の干渉を防止する場合について説明する。
【００６６】
まず、本実施例３に係るＲＦＩＤタグの取り付け方法について説明する。図４は、実施例３に係るＲＦＩＤタグの取り付け方法について説明する図である。図４では、物品を収納する段ボールケース３０にＲＦＩＤタグ３１を取り付ける場合が示されている。
【００６７】
このＲＦＩＤタグ３１には、たとえば、複数の段ボールケースの中から当該段ボールケース３０を識別する識別情報や、段ボールケース３０に収納される物品の情報などが記憶される。
【００６８】
図４に示すように、段ボールケース３０に収納される物品が、金属でできた缶製品３２であるような場合には、段ボールケース３０の表側の面にＲＦＩＤタグ３１を取り付けると、缶製品３２により反射された電波がＲＦＩＤタグ３１がリーダ・ライタのアンテナから受信した電波と干渉する現象が生じる。
【００６９】
このような場合、段ボールケース３０に収納される缶製品３２の大きさや形状によりＲＦＩＤタグ３１と金属面との間の距離が一定ではなくなり、図２で説明したような最大通信距離が変化するため、アンテナとＲＦＩＤタグ３１との間で安定した通信をおこなうことが難しくなる可能性があった。
【００７０】
そのため、本実施例３では、図１に示したような直方体型ＲＦＩＤタグ取り付け器具３３を段ボールケース３０に取り付け、缶製品３２により反射され、ＲＦＩＤタグ３１の裏側方向あるいは横方向から来る電波を遮断するとともに、ＲＦＩＤタグ３１の裏面にある金属面を平らにすることにより上記問題を解決するようにする。
【００７１】
なお、ここでは、段ボールケース３０に直方体型ＲＦＩＤタグ取り付け器具３３を取り付けることとしたが、ＲＦＩＤタグ取り付け器具は、図１に示したような半円筒型ＲＦＩＤタグ取り付け器具であってもよい。
【００７２】
また、段ボールケース３０の代わりに、物品を収納するコンテナや通い箱、ケースなどに直方体型ＲＦＩＤタグ取り付け器具３３を設置することとしてもよい。
【００７３】
また、直方体型ＲＦＩＤタグ取り付け器具３３が取り付けられる段ボールケースは、図４に示したような、ふたと身箱とからなる段ボールケース３０ではなく、一体型の段ボールケースであってもよい。
【００７４】
図５は、直方体型ＲＦＩＤタグ取り付け器具４１が取り付けられた段ボールケース４０の一例を示す図である。この場合も、図４に示した場合と同様に、直方体型ＲＦＩＤタグ取り付け器具４１は、段ボールケース４０の内容物により反射される電波を遮断するとともに、ＲＦＩＤタグ４２の裏面の金属面を平らにするという働きがある。
【００７５】
また、直方体型ＲＦＩＤタグ取り付け器具４１に取り付けられている金属板とＲＦＩＤタグ４２との間の距離は一定になるようにする。図６は、直方体型ＲＦＩＤタグ取り付け器具４１に取り付けられている金属板４３とＲＦＩＤタグ４２との間の距離について説明する図である。
【００７６】
図６に示すように、金属板４３とＲＦＩＤタグ４２との間の距離は、最大通信距離に図２で説明したような影響を及ぼすため、ＲＦＩＤタグ４２を使用する環境に応じて適切に設定する（たとえば、５ｍｍ〜２ｃｍ程度）。
【００７７】
具体的には、直方体型ＲＦＩＤタグ取り付け器具４１に取り付けられているスペーサ４４の厚みを変えることにより、金属板４３とＲＦＩＤタグ４２との間の距離を調整する。
【００７８】
さらに、図６に示すように、段ボールケース４０に、ＲＦＩＤタグ４２を取り付けるべき位置を示す情報（たとえば、「この位置にＲＦＩＤタグを貼ってください。」など）を印刷することとしてもよい。
【００７９】
上述してきたように、本実施例３では、物品を収納する段ボールケース３０，４０に直方体型ＲＦＩＤタグ取り付け器具３３，４１を取り付けることとしたので、リーダ・ライタと直方体型ＲＦＩＤタグ取り付け器具３３，４１に取り付けられたＲＦＩＤタグ３１，４２との間における安定的な通信を低コストで実現することができ、また、リーダ・ライタとＲＦＩＤタグ３１，４２との間で段ボールケース３０，４０に収納された物品に係る情報などを授受することにより物品を容易に管理することができる。
【００８０】
なお、ここでは、段ボールケース３０，４０に収納する物が金属でできた缶製品３２である場合について説明したが、段ボールケース３０，４０に収納する物が水分を含む収納物である場合であっても効果を発揮することができる。
【００８１】
すなわち、段ボールケース３０，４０に収納する物が水分を含む収納物である場合には、水分により電波が吸収されるので、水分の含有量などにより最大通信距離が変化する可能性があるが、上述したようにしてＲＦＩＤタグ取り付け器具を取り付けることにより、収納物によらず最大通信距離を一定とすることができる。
【産業上の利用可能性】
【００８２】
以上のように、本発明に係るＲＦＩＤタグ取り付け用用具、ＲＦＩＤタグ取り付け用荷台、ＲＦＩＤタグ取り付け用箱、通信機器および通信方法は、ＲＦＩＤタグの周囲に金属がある場合でも、リーダ・ライタとＲＦＩＤタグとの間における安定的な通信を低コストで実現することが必要な通信システムに有用である。
【図面の簡単な説明】
【００８３】
【図１】実施例１に係るＲＦＩＤタグの取り付け方法について説明する図である。
【図２】金属板とＲＦＩＤタグとの間の距離が最大通信距離に及ぼす影響について示す図である。
【図３】実施例２に係るＲＦＩＤタグの取り付け方法について説明する図である。
【図４】実施例３に係るＲＦＩＤタグの取り付け方法について説明する図である。
【図５】直方体型ＲＦＩＤタグ取り付け器具が取り付けられた段ボールケースの一例を示す図である。
【図６】直方体型ＲＦＩＤタグ取り付け器具に取り付けられている金属板とＲＦＩＤタグとの間の距離について説明する図である。
【符号の説明】
【００８４】
１０ａ，２２，３３，４１    直方体型ＲＦＩＤタグ取り付け器具
１０ｂ    半円筒型ＲＦＩＤタグ取り付け器具
１１ａ，１１ｂ，４４    スペーサ
１２ａ，１２ｂ，４３    金属板
１３ａ，１３ｂ，２１，３１，４２    ＲＦＩＤタグ
２０    パレット
２３    フォーク差込口
３０，４０    段ボールケース
３２    缶製品
【図１】
2006338361.tif 000003
【図２】
2006338361.tif 000004
【図３】
2006338361.tif 000005
【図４】
2006338361.tif 000006
【図５】
2006338361.tif 000007
【図６】
2006338361.tif 000008